(57)【要約】      （修正有）【課題】タブレットＰＣのプレートを提供する。【解決手段】ＰＣの取付けに提供され、片側は、切り込み１１を開けられ、切り込みは、邪魔板によって覆われ、邪魔板と前記切り込みは、可とう性の結合を形成していて、邪魔板をめくり上げることができる下部プレート１０とを備える。さらに、枢接などにより下部プレート１０に連接し、ＰＣスクリーンを支えておき、表面の損傷を防止し、その外面は、３枚の三角形Ａ、Ｂ、Ｃと、２枚の長方形の折り跡からなる第１種の折り跡パターンを有する。３枚の三角形の排列方式は、２つの直角に近い三角形によって、等角に近い三角形を挟んでいて、かつ各直角三角形の底辺は、それぞれ対応する細長い線Ｄ、Ｅを有する支持プレート２０と、を備える。そのうち、切り込みに備える邪魔板を立てかけることによって、タブレットＰＣを邪魔板と支持プレートとの間に取付け、支持プレートを適切に折り畳んで、タブレットＰＣを支えることができる。【選択図】図１Ａ
0003171650.tif 000002
【実用新案登録請求の範囲】
【請求項１】
タブレットＰＣの支持プレートであって、
少なくとも支持プレートを備え、
ＰＣを支えるとともに、スクリーン表面の破損を防止する前記支持プレートは、その外面が、３枚の三角形Ａ、Ｂ、Ｃと、２枚の三角形Ｄ、Ｅの折り跡パターンからなる第１種の折り跡パターン有し、
前記３枚の三角形の排列方式は、２つの直角に近い三角形Ａ、Ｃによって、二等辺に近い三角形Ｂを挟んでいて、かつ各直角三角形Ａ、Ｃに備える一つの底辺は、対応された細長い線Ｄ、Ｅを有し、
前記折り畳み方式は、折り跡パターンに合わせており、各ブロック間は、極めて薄い方式によって結合し、折り跡を形成する、前記支持プレートを手前側に折り畳み、下部プレートと鈍角を形成していて、直角三角形Ａ、Ｃは後ろ向きに折り畳み、対応された前記細長い線Ｄ、Ｅが互い接合接触され、安定なベースを形成することが可能であることを特徴とするタブレットＰＣの支持プレート。
【請求項２】
下部プレートをさらに含み、前記下部プレートは、枢接などにより前記支持プレートに接続され、その片側は切り込みを開けられ、前記切り込みは、邪魔板によって覆われ、前記邪魔板と前記切り込みは、前記邪魔板をめくり上げることができるように可とう性を有して結合していて、
前記切り込み上の前記邪魔板を立てかけることができ、タブレットＰＣを前記邪魔板と前記支持プレートとの間に立てかけ、前記支持プレートを適宜に折り畳み、タブレットＰＣを支えることができることを特徴とする、請求項１記載のタブレットＰＣの支持プレート。
【請求項３】
前記支持プレートはさらに、３本が互いに平行する横線Ｆ、Ｇ、Ｈの折り跡からなる第２種の折り跡パターンを含み、前記支持プレートは、第１種の折り跡パターンと第２種の折り跡パターンによって、２種の折り跡パターンを互いに交差し重なってなり、
第２種の折り跡パターンは、第２種の折り畳みパターンに対応していて、各ブロック間は、極めて薄い方式によって結合され、折り跡を形成した前記支持プレートは、手前側に折り畳み、前記下部プレートと鈍角を形成し、それぞれ平行に形成された横線Ｆ、Ｇ、Ｈは、下向きに平行にしてひっくり返して、三角柱体のベースを形成することを特徴とする、請求項１記載のタブレットＰＣの支持プレート。
【請求項４】
タブレットＰＣの支持プレートであって、
少なくとも支持プレートを備え、
ＰＣの破損を防止するためスクリーンを支える前記支持プレートは、その外面には、第１種の折り跡パターンを有し、
前記第１種の折り跡パターンは３枚の三角形Ｉ、Ｊ、Ｋと、外側の長手辺に位置する２つの長方形を２つの三角形Ｌ、Ｍ、Ｎ、Ｏそれぞれ二等分した折り跡からなり、合計７つの三角形を有し、
前記３枚の三角形の排列方式は、２つの直角に近い三角形Ｉ、Ｊが等角に近い三角形Ｋを挟んでいて、かつ各直角三角形Ｉ、Ｊに備える一つの底辺は、４つの対応した三角形Ｌ、Ｍ、Ｎ、Ｏを有し、
第１種の折り畳み方式は、前記支持プレートを手前側に折り畳み、鈍角を形成し、直角三角形Ｉ、Ｊは後ろ向きに折り畳み、対応する三角形Ｌ、ＯとＭ、Ｎは互いに接合接触して、安定なベースを形成することが可能であることを特徴とするタブレットＰＣの支持プレート。
【請求項５】
枢接などにより前記支持プレートを接続する下部プレートをさらに有し、前記下部プレートは、該下部プレートの片側に切り込みが開けられ、前記切り込みは、邪魔板によって覆われ、前記邪魔板と前記切り込みは、前記邪魔板をめくり上げることができるように可とう性を有して結合していて、
前記切り込みに備える前記邪魔板を立たせることができ、タブレットＰＣを前記邪魔板と前記支持プレートとの間に立てかけ、前記支持プレートを適宜に折り畳み、タブレットＰＣを支えることができることを特徴とする、請求項４記載のタブレットＰＣの支持プレート。
【請求項６】
前記支持プレートはさらに、３本が互いに平行する横線Ｐ、Ｑ、Ｒの折り跡からなる第２種の折り跡パターンを含み、前記支持プレートは、第１種の折り跡パターンと第２種の折り跡パターンによって、２種の折り跡パターンを互いに交差し重なってなり、
第２種の折り畳み方式は、第２種の折り跡パターンに対応して形成され、各ブロック間は、極めて薄い方式により結合し、折り跡を形成する支持プレートは、手前側に折り畳み、下部プレートと鈍角を形成し、それぞれ平行する横線Ｐ、Ｑ、Ｒは、下向きに平行しひっくり返して、三角柱体のベースを形成して、前記切り込みを立たせることができ、タブレットＰＣを前記邪魔板と前記支持プレートとの間に取り付けることができことを特徴とする、請求項４記載のタブレットＰＣの支持プレート。
【請求項７】
２つの対応された三角形Ｉ、Ｊにおいて、それぞれ取付穴を設けられ、対応された三角形は、結び帯の一端を取付られ、前記支持プレートの高さを固定するため、前記結び帯の他端を引っ張りだして、隣接する前記取付穴に嵌着することができることを特徴とする、請求項４記載のタブレットＰＣの支持プレート。
【請求項８】
２つの対応された三角形Ｉ、Ｊは、それぞれ留めリングを設けられ、前記留めリングは、結び帯の一端に連結され、前記結び帯の他端は、もう一つの留めリングに係着していて、前記支持プレートの高さを固定することができることを特徴とする、請求項４記載のタブレットＰＣの支持プレート。
【請求項９】
対応された三角形Ｌ、ＯとＭ、Ｎは、互いに接合接触していて、かつ内向きに折り畳んで安定なベースを形成することを特徴とする、請求項４記載のタブレットＰＣの支持プレート。
【考案の詳細な説明】
【技術分野】
【０００１】
本考案は、タブレットＰＣスクリーンの保護カーバーに関し、特にタブレットＰＣの支持プレートに関する。
【背景技術】
【０００２】
タブレットＰＣは、もはや今日のもっとも高速に普及されている電子装置である。米国ＡＰＰＬＥ社は、ｉＰａｄ（登録商標）  Ｓｍａｒｔ  Ｃｏｖｅｒ（登録商標）を開発し、ｉＰａｄの丈夫なアルミ合金の背面部を覆うことなく、スクリーンを保護することができる。よって、ｉＰａｄの外観と感覚は、なおｉＰａｄに似ており、ただ追加保護が提供されただけである。Ｓｍａｒｔ  Ｃｏｖｅｒは、二重の機能があり、映画鑑賞やゲーム、ネットサーフィン、そのほかあらゆることをするときの最高のパートナーである。賢く折り畳み、高速に支持台を構築して、ｉＰａｄを立たせることができる。さらに、ｉＰａｄを斜めにして、快適にタイピングする位置に置くことができる。ｉＰａｄを手で持つとき、Ｓｍａｒｔ  Ｃｏｖｅｒは、雑誌を頁めくるように、後ろ向きに折り畳むことができる。
【考案の概要】
【考案が解決しようとする課題】
【０００３】
公知のＳｍａｒｔ  Ｃｏｖｅｒは、可とう性部材で出来ているために、支持台として使用するときの高さが非常に短く、タブレットＰＣを確実に支えることができず、タブレットＰＣが後側に転覆する恐れがある。しかし、多くの応用場面は、目が使いやすい角度に立たせ、支えて置く必要がある。よって、使用者がタブレットＰＣを手で持っていて、タブレットＰＣを良い視角に調節するか、または、タブレットＰＣを支えるもう一つの支え部材を見つける必要があるため、この方式は、非常に不便である。よって、本出願人は、公知技術の課題を解決するため、斬新で有益な解決手段を提供するものである。
【課題を解決するための手段】
【０００４】
本考案は以下のタブレットＰＣの支持プレートを提供することにある。
タブレットＰＣの支持プレートは、下部プレートと支持プレートとを備える。
下部プレートはその片側に切り込みを開けられ、切り込みは、邪魔板によって覆われ、邪魔板と前記切り込みは、可とう性を有する結合構造を構成することで、邪魔板をめくり上げることができる。
支持プレートは、枢接などにより下部プレートに連接し、ＰＣスクリーンを支えておき、表面の損傷を防止する。支持プレートの外面は、３枚の三角形と、２枚の長方形の折り跡からなる第１種の折り跡パターンを有する。３枚の三角形の排列方式は、２つの直角に近い三角形によって、等角に近い三角形を挟んでいて、かつ各直角三角形の底辺は、それぞれ対応する細長い線を有する。そのうち、切り込みに備える邪魔板を立てかけることによって、タブレットＰＣを邪魔板と支持プレートとの間に取付け、支持プレートを適切に折り畳んで、タブレットＰＣを支えることができる。
【考案の効果】
【０００５】
本考案の主な目的は、タブレットＰＣの支持プレートを提供することである。
本考案の長所は、支持プレートは、タブレットＰＣを保護できるほか、タブレットＰＣの支える架台として使用することができる。支持プレートは、様々な折り畳み方式を有し、それぞれの立面と傾斜率を形成し、所要な支え効果を達成する。使用者が持ち運ぶときは、新たに支持台装置を用意する必要はなく、スリーブの機能性が向上すると共に、使用者の利便性が向上する。さらに、必要に応じて、タブレットＰＣを様々な位置で支えることができる。
【図面の簡単な説明】
【０００６】
【図１Ａ】本考案の実施例１における第１種の折り跡の態様図である。
【図１Ｂ】本考案の実施例１における第２種の折り跡の態様図である。
【図１Ｃ】本考案の実施例１における２種の折り跡が交差して重なる態様図である。
【図２Ａ】本考案の実施例１における第１種の折り跡の折り畳み方式態様図である。
【図２Ｂ】本考案の実施例１の応用図である。
【図３】本考案の実施例１における第２種の折り跡の折り畳み方式態様図である。
【図４Ａ】本考案の実施例２における第１種の折り跡の態様図である。
【図４Ｂ】本考案の実施例２における第２種の折り跡の態様図（その１）である。
【図４Ｃ】本考案の実施例２における２種の折り跡が交差して重なる態様図である。
【図５】本考案の実施例２における第１種の折り跡の折り畳み方式態様図である。
【図６】本考案の実施例２における高さ調整の態様図（その１）である。
【図７Ａ】本考案の実施例２における高さ調整の態様図（その２）である。
【図７Ｂ】本考案の実施例２における高さ調整の態様図（その２）である。
【図８】本考案の実施例２における第２種の折り跡の折り畳み方式態様図（その２）である。
【考案を実施するための形態】
【０００７】
本考案が目的を達成するための技術手段について、図１ないし３に示す実施例を合わせて、本考案のタブレットＰＣの支持プレートを以下のとおり詳細説明する。
【実施例】
【０００８】
本考案に係るタブレットＰＣの支持プレートは、下部プレート１０と支持プレート２０とを備える。
下部プレート１０はタブレットＰＣを置き、片側に切り込み１１を開けている。切り込み１１は、邪魔板１２によって覆われている。邪魔板１２と切り込み１１は、可とう性の結合を形成していて、邪魔板１２をめくり上げることができて、ＰＣを支えてスクリーン表面の破損を防止することができる。枢接などの接続方式によって、下部プレート１０と接続される。またその外面は、２種の折り跡パターンが交差して重なっている。
【０００９】
図１Ａは第１種の折り跡パターンを示すもので、３枚の三角形Ａ、Ｂ、Ｃと、２枚の三角形Ｄ、Ｅの折り跡からなる。３枚の三角形Ａ、Ｂ、Ｃの排列方式は、２つの直角に近い三角形Ａ、Ｃによって、二等辺に近い三角形Ｂを挟んでいて、かつ各直角三角形Ａ、Ｃに備える一つの底辺は、対応の細長い線Ｄ、Ｅを有する。
【００１０】
図１Ｂは、第２種の折り跡パターンを示すもので、３本が互いに平行する横線Ｆ、Ｇ、Ｈの折り跡からなる。図１Ｃは、２種の折り跡パターンが互いに交差し重なってなる。
【００１１】
本考案は、２種の折り畳み方式がある。図２に示す第１種の折り畳み方式は、図１Ａに対応し、第１種の折り跡パターンである。
【００１２】
そのうち、図３に示す第２種の折り畳み方式は、図１Ｂに対応し、第２種の折り跡パターンである。
【００１３】
引き続き、図４Ａないし図８を参照して、本考案のタブレットＰＣの支持台もう一つの実施例を説明する。本実施例の基本構成は、前記した実施例とほぼ同じである。
【００１４】
下部プレート１０はタブレットＰＣを置き、片側に切り込み１１を開けている。切り込み１１は、邪魔板１２によって覆われている。邪魔板１２と切り込み１１は、可とう性の結合を形成していて、邪魔板１２をめくり上げることができる。下部プレート１０と、枢接などの接続方式によって、下部プレート１０に接続し、ＰＣの破損を防止するためスクリーンを支えて置き、その外面は、２種の折り跡パターンが互いに交差しなる支持プレート２０と、を備える。
【００１５】
そのうち、図４Ａは、第１種の折り畳みパターンであり、３枚の三角形Ｉ、Ｊ、Ｋと、外側の長手辺に位置する２つの長方形を２つの三角形Ｌ、Ｍ、Ｎ、Ｏそれぞれ二等分した折り跡からなり、合計７つの三角形を有する。３枚の三角形Ｉ、Ｊ、Ｋの排列方式は、２つの直角に近い三角形Ｉ、Ｊが等角に近い三角形Ｋを挟んでいて、かつ各直角三角形Ｉ、Ｊに備える一つの底辺は、４つの対応した三角形Ｌ、Ｍ、Ｎ、Ｏを有する。
【００１６】
図４Ｂは、第２種の折り跡パターンであり、３本が互いに平行する横線Ｐ、Ｑ、Ｒの折り跡からなる。図４Ｃは、２種の折り跡パターンが互いに交差し重なってなる。
【００１７】
図６を参照して本考案の一実施例を説明する。そのうち、２つの対応した三角形Ｉ、Ｊは、それぞれ取付穴３２を有する。対応した三角形において、結び帯３１の一端を固定され、結び帯３１の他端は、引っ張りだして隣接する取付穴３２に嵌着することができる。よって、この方式を適用すれば、結び帯３１が隣接する取付穴３２に嵌着する長さを調節することによって、支持プレート２０を様々な高さに固定することができる。
【００１８】
図７を参照して本考案の一実施例を説明する。本考案はさらに、２つの対応した三角形Ｉ、Ｊにおいて、それぞれ留めリング３０を設けている。留めリング３０は、結び帯３１の一端に接続し、結び帯３１の他端はもう一つの留めリング３０に係着することが出来る。よって、この方式を適用すれば、結び帯３１が隣接する留めリング３０に嵌着する長さを調節することによって、支持プレート２０を様々な高さに調節することができる。
【００１９】
本考案は、それぞれ２つの折り畳み方式がある。そのうち、図５に示すものは、第１種の折り畳み方式である。各ブロック間は、極めて薄い形態により、折り跡を形成する。支持プレート２０を手前側に折り畳み、下部プレート１０と鈍角を形成し、直角三角形Ｉ、Ｊを後ろ向きに折り畳み、対応した三角形Ｌ、ＯとＭ、Ｎをそれぞれ接合接触して、安定なベースを形成する。切り込み１１を立たせることができ、タブレットＰＣを邪魔板１２と支持プレート２０との間に取り付けることができる。最後に、結び帯３１を伸縮させて、適切な高さに調節した後、結び帯３１を取付穴３２に嵌着して、位置固定ができる。
【００２０】
本考案もう一つの折り畳み方式を説明する。支持プレート２０を手前側に折り畳み、下部プレート１０と鈍角を形成させ、直角三角形Ｉ、Ｊを後ろ向きに折り畳み、対応した三角形Ｌ、ＯとＭ、Ｎをそれぞれ接合接触していて、かつ内向きに折り曲げて、安定なベースを形成する。図６に示すように結び帯３１を伸縮させ、適切な高さに調節した後、結び帯３１を取付穴３２に嵌着し、位置固定することができる。図７Ｂに示すように結び帯３１を下方に引っ張ることにより、角度の大きさを調節し、結び帯３１を隣接する留めリング３０に嵌着する長さに調節することができる。
【００２１】
図８を示して第２種の折り畳み方式を参照する。各ブロック間は、極めて薄い形態により、折り跡を形成する。支持プレート２０を手前側に折り畳み、下部プレート１０と鈍角を形成し、互いに平行する横線Ｐ、Ｑ、Ｒを下向きに平行にしてひっくり返して、三角柱体のベースを形成する。切り込み１１を立たせて、タブレットＰＣを邪魔板１２と支持プレート２０との間に取り付けることができる。
【００２２】
本考案の長所は、支持プレート２０がタブレットＰＣを保護できるほか、タブレットＰＣの支える架台として使用することができる。支持プレート２０は、様々な折り畳み方式を有し、それぞれの立面と傾斜率を形成し、所要な支え効果を達成する。
【００２３】
以上の説明は本考案の好ましい実施例であり、本考案実施の範疇に制限を加えるものではない。よって、本考案の請求範囲による等効果変化または修飾は、すべて本考案の請求範疇に含まれる。
【符号の説明】
【００２４】
１０            下部プレート
１１            切り込み
１２            邪魔板
２０            支持プレート
３０            留めリング
３１            結び帯
３２            取付穴
Ａ、Ｂ、Ｃ      三角形
Ｄ、Ｅ          細長い線
Ｆ、Ｇ、Ｈ      横線
Ｉ、Ｊ          直角三角形
Ｋ              三角形
Ｌ、Ｍ、Ｎ、Ｏ  三角形
Ｐ、Ｑ、Ｒ      横線
【図１Ａ】
0003171650.tif 000003
【図１Ｂ】
0003171650.tif 000004
【図１Ｃ】
0003171650.tif 000005
【図２Ａ】
0003171650.tif 000006
【図２Ｂ】
0003171650.tif 000007
【図３】
0003171650.tif 000008
【図４Ａ】
0003171650.tif 000009
【図４Ｂ】
0003171650.tif 000010
【図４Ｃ】
0003171650.tif 000011
【図５】
0003171650.tif 000012
【図６】
0003171650.tif 000013
【図７Ａ】
0003171650.tif 000014
【図７Ｂ】
0003171650.tif 000015
【図８】
0003171650.tif 000016